(57)【要約】      （修正有）【課題】襟を立った状態に支持し、着物本来の見栄えを保持できる衣桁を提供する。【解決手段】衣桁１は、架台３と、この架台３の上端に支持されて略水平に延びる袖支持部材としての横棒５と、この横棒５の中央部において横棒５に一体に設けられた襟立て部材７を有している。横棒５に左右の袖を通されて支持された着物の襟は、三角形のブロック状をなす襟立て部材７により立った状態に支持される。横棒５は、架台３の支柱１３の上端に形成された穴に横棒５の下面に形成された突起を嵌合することにより、架台３に対して一体に組み付けられており、使用しない場合等には横棒５と架台３は任意に分離可能である。【選択図】図１
0003120329.tif 000002
【実用新案登録請求の範囲】
【請求項１】
着物の両袖を略水平に支持する袖支持部材と、この袖支持部材を支える架台とを備え、着物を型崩れしないように掛けるための衣桁において、
着物の襟を立った状態に支持する襟立て部材を有していることを特徴とする衣桁。
【請求項２】
請求項１記載の衣桁において、
前記袖支持部材が１本の横棒からなることを特徴とする衣桁。
【請求項３】
請求項１又は２記載の衣桁において、
前記襟立て部材が前記袖支持部材に一体に設けられていることを特徴とする衣桁。
【請求項４】
請求項１乃至３のうちのいずれかに記載の衣桁において、
前記襟立て部材が略三角形のブロック状をなし、上に向かって尖る状態に設けられていることを特徴とする衣桁。
【請求項５】
請求項１乃至４のうちのいずれかに記載の衣桁において、
前記袖支持部材と前記架台とが分離可能であることを特徴とする衣桁。
【請求項６】
請求項５記載の衣桁において、
前記袖支持部材と前記架台の何れか一方に凸部が、他方に前記凸部に嵌合する凹部が設けられ、前記凸部と前記凹部との嵌合を外すことにより分離がなされることを特徴とする衣桁。
【考案の詳細な説明】
【技術分野】
【０００１】
本考案は、着物を型崩れしないように掛けるための衣桁（着物と共に縮小サイズ（ミニチュア）の概念を含む。）に関する。
【背景技術】
【０００２】
着物の展示や陳列等に用いられる衣桁（衣紋掛け）としては、従来より、細い木を鳥居形に組んだものが知られており、着物の両袖を略水平に延びる袖支持部材に通して支持し、袖から下を垂れ下げて掛けるようになっている。
コンパクト性、可搬性を考慮して、蝶番で２枚に折り畳む構造のものも提供されている（特許文献１）。
【０００３】
【特許文献１】実用新案登録第３１０００６６号公報
【考案の開示】
【考案が解決しようとする課題】
【０００４】
上述のように、従来の衣桁は着物の両袖を略水平に延びる袖支持部材に通すだけで支持する構造であるため、掛けた状態では着物の襟が寝てしまい、着物全体の見栄えを損なっていた。
着物全体に与える襟の見栄えの良否の影響は大きく、特に高価な着物の展示会等においてはその価値を低下させる要因となる。
【０００５】
本考案は上記従来の問題点に着目してなされたものであり、襟を立った状態に支持し、着物本来の見栄えを保持できる衣桁を提供することを目的とする。
【課題を解決するための手段】
【０００６】
請求項１記載の考案は、着物の両袖を略水平に支持する袖支持部材と、この袖支持部材を支える架台とを備え、着物を型崩れしないように掛けるための衣桁において、着物の襟を立った状態に支持する襟立て部材を有していることを特徴とする衣桁である。
【０００７】
請求項２記載の考案は、請求項１記載の衣桁において、前記袖支持部材が１本の横棒からなることを特徴とする衣桁である。
【０００８】
請求項３記載の考案は、請求項１又は２記載の衣桁において、前記襟立て部材が前記袖支持部材に一体に設けられていることを特徴とする衣桁である。
【０００９】
請求項４記載の考案は、請求項１乃至３のうちのいずれかに記載の衣桁において、前記襟立て部材が略三角形のブロック状をなし、上に向かって尖る状態に設けられていることを特徴とする衣桁である。
【００１０】
請求項５記載の考案は、請求項１乃至４のうちのいずれかに記載の衣桁において、前記袖支持部材と前記架台とが分離可能であることを特徴とする衣桁である。
【００１１】
請求項６記載の考案は、請求項５記載の衣桁において、前記袖支持部材と前記架台の何れか一方に凸部が、他方に前記凸部に嵌合する凹部が設けられ、前記凸部と前記凹部との嵌合を外すことにより分離がなされることを特徴とする衣桁である。
【考案の効果】
【００１２】
本考案によれば、着物を襟が立った状態に掛けることができるので、着物本来の見栄えを保持でき、展示会等における襟の型崩れによる見栄えの低下を防止できる。
また、袖支持部材と架台が分離できるので、収納、保管、運搬等におけるコンパクト性を実現できる。
【考案を実施するための最良の形態】
【００１３】
以下、本考案の一つの実施の形態を図１乃至図３に基づいて説明する。
図１に示すように、本実施形態に係る衣桁１は、架台３と、この架台３の上端に支持されて略水平に延びる袖支持部材としての横棒５と、この横棒５の中央部において該横棒５に一体に設けられた襟立て部材７とを有している。
架台３は、床面に設置される一対の台形状のベースブロック９、９と、ベースブロック９、９間を連結する丸棒状の下部連結部材１１と、各ベースブロック９、９にそれぞれ立設された丸棒状の支柱１３、１３と、支柱１３、１３の上端側に設けられ、これらを連結する丸棒状の上部連結部材１５とを有している。
【００１４】
本実施形態において、袖支持部材は１本の横棒５で構成されている。袖支持部材は着物の両袖を略水平に支持する機能を有していればよく、この趣旨から、複数の棒材の組み合わせとして構成してもよく、あるいは平板等で構成してもよい。
襟立て部材７は、略三角形（望ましくは二等辺三角形又は正三角形）のブロック状に形成されており、頂部７ａを上にして底辺７ｂを横棒５の上面に固定されている。襟立て部材７と横棒５とを合成樹脂で一体成形してもよい。
架台３の構成も本実施形態に限定される趣旨ではなく、横棒５を支持できるベース構成であれば如何なる構成でもよい。
【００１５】
図２は、横棒５を架台３から分離した状態を示している。支柱１３、１３の上端には軸方向に深さを有する凹部としての円柱状の穴１７、１７が形成されており、これに対応して横棒５の下面には穴１７、１７に入り込む凸部としての円柱状の突起１９、１９が形成されている。
突起１９、１９の径は穴１７、１７の径よりも僅かに小さく設定されており、軽い押圧力で押し込むことにより嵌合して一体に連結できるようになっている。
【００１６】
衣桁１を使用しない場合において、横棒５の嵩張りが邪魔になる場合や収納、運搬等する場合には、横棒５は架台３から引き抜かれ、分離される。
横棒５と架台３との間における分離構成（着脱構成）は、本実施形態に限定される趣旨ではなく、逆態様としてもよい。すなわち、凹部としての穴１７、１７を横棒５に設け、凸部としての円柱突起１９、１９を架台３に設けてもよい。
凹部及び凸部の形状は断面円形に限らず、四角形等種々の形状を採用でき、さらに凹部は穴ではなく溝であってもよい。
また、支柱１３、１３の上端部自体を凸部として横棒５の凹部に直接嵌合するようにしてもよい。
【００１７】
図３は衣桁１に着物２１を掛けた状態を示している。着物２１は横棒５に左右の袖２３を通して掛けられている。
襟２５は襟立て部材７により立った状態に保持される。本実施形態では三角形のブロック状をなす襟立て部材７を覆うように襟２５を被せることにより支持する構成としたが、襟立て部材７の上部が襟２５から露出する襟立て方式としてもよい。
また、襟立て部材７を人間の首形状に沿った形状とし、実際に着物を着ているときの襟状態に近い状態に保持してもよい。
なお、上部連結部材１５は２本以上備えるようにしてもよい。特に衣桁のサイズを大きくする場合は強度向上のため上部連結部材１５を複数設けるようにする。
【図面の簡単な説明】
【００１８】
【図１】本考案の一つの実施形態に係る衣桁の斜視図である。
【図２】横棒を架台から分離した状態の斜視図である。
【図３】衣桁に着物を掛けた状態の斜視図である。
【符号の説明】
【００１９】
１    衣桁
３    架台
５    袖支持部材としての横棒
７    襟立て部材
１７    凹部としての穴
１９    凸部としての円柱突起
【図１】
0003120329.tif 000003
【図２】
0003120329.tif 000004
【図３】
0003120329.tif 000005